(57)【特許請求の範囲】
【請求項１】
中央脚鉄心の両側にそれぞれ側脚鉄心を配置し、
前記中央脚鉄心に両側にフランジ部を有する第１のボビンと第２のボビンを挿入し、
前記第１のボビンに１次コイルを、前記第２のボビンに２次コイルをそれぞれ巻回し、
前記第１のボビンおよび第２のボビンのフランジ部間にそれぞれ対向してパスコアを配置し、
これらパスコアと前記中央脚鉄心と前記側脚鉄心との間にそれぞれエアギャツプを形成し、
前記パスコアの両端にそれぞれ形成したパスコア保持部を前記フランジ部に固定してなる電磁機器において、
前記パスコアが挿入される一方のボビンのフランジ部に、
前記パスコア保持部を受けるパスコア受け部および前記パスコア保持部を案内する案内壁とからなる略Ｌ字型突出部をそれぞれ対向して設け、
前記パスコア受け部の延長上に嵌合溝を形成した溝形成台部を設け、
この溝形成台部の前記案内部と対向する位置に前記パスコア保持部を保持する保持部を設け、
前記パスコアが挿入される他方のボビンのフランジ部に、
前記一方のボビンのフランジ部に形成した嵌合溝にそれぞれ挿入嵌合する略Ｉ字型突出部を設け、
前記一方のボビンのフランジ部にそれぞれ設けた嵌合溝に前記他方のフランジ部にそれぞれ設けた略Ｉ字型突出部を挿入嵌合して前記ボビン同志を連結し、
前記パスコア保持部の先端を前記略Ｌ字型突出部のパスコア受け部に当接させるとともに、前記パスコア保持部を前記略Ｌ字型突出部の案内壁と前記溝形成台部の保持部とにより固定したことを特徴とする電磁機器。
【発明の詳細な説明】
【０００１】
【発明の属する利用分野】
本発明は、例えば、蛍光灯照明器具などが備える放電灯安定器として使用される電磁機器のボビン同士の連結構造およびパスコアのボビンのフランジ部への固定構造に関する。
【０００２】
【従来の技術】
従来の電磁機器について、図８ないし図１０を参照して説明する。
【０００３】
図８および図９を参照して第１の従来技術について説明する。図８に示すように、３は一次コイルが巻回されるコイル巻回部４とこのコイル巻回部４の両端にそれぞれ形成されたフランジ部５とからなる第１のボビンで、長手方向に沿った中央部には、中央脚鉄心１５を挿入する断面略長方形の挿入部６が形成されている。
【０００４】
第１のボビン３の一方のフランジ部５ａには、断面略コ字形をした鉄板を積層したパスコア２の両端をそれぞれ位置決め固定する断面略Ｌ字形をしたパスコア受け部１１を４個所上下左右にそれぞれ第１のボビン３の長手方向に一体的に形成している。このパスコア受け部１１は、パスコア２の先端面２ａが当接し位置決めするパスコア当接部１２とパスコア２を固定するパスコア嵌合部１３とから形成されている。
【０００５】
８は二次コイルが巻回されるコイル巻回部９と、このコイル巻回部９の両端にそれぞれ形成されたフランジ部１０とからなる第２のボビンで、長手方向に沿った中央部には、中央脚鉄心１５を挿入する断面略長方形の挿入部６が形成されている。なお、フランジ部１０には、第１のボビン３に形成されているパスコア受け部は形成されていない。
【０００６】
第２の従来技術について図１０に基づいて説明する。第１のボビン３の一方のフランジ部５ａおよび第２のボビン８の一方のフランジ部１０ａからそれぞれ断面略Ｌ字形をしたパスコア受け部２０が４個所上下左右に形成されている。このパスコア受け部２０には、第１の従来技術と同様に、パスコア２の先端面２ａが当接し位置決めするパスコア当接部２１とパスコア２を固定するパスコア嵌合部２２とから形成されている。
【０００７】
【発明が解決しようとする課題】
上記のように第１の従来技術である一方のボビンのフランジ部１０には、パスコア受け部は形成されていない。このため、図９のように、電磁機器１を組合わせた際、組立て上の精度により、パスコア受け部１１の先端部１１ｂとフランジ部１０との間に隙間ｔが生ずる。そのため、パスコア２をパスコア受け部１１のパスコア嵌合部１３に嵌合固定した際、隙間ｔにパスコア２の一部が入り込み、この隙間ｔから磁気が中央脚鉄心１５に漏洩し、特性が不安定となるという問題があった。
【０００８】
第２の従来技術において、電磁機器１を組合わせた際、組立て上の寸法精度により、パスコア受け部の先端同志の間に、第１の従来技術と同様に隙間が生ずる場合もある。さらに、中央脚鉄心１５幅Ａに対して、組立上の容易性を考慮して、ボビンの挿入部６の幅Ｂを少し大きめに形成している。このため、パスコア受け部同志の間に、段差Ｌが生ずる。この段差Ｌにより、パスコア２と中央脚鉄心１５及び側脚鉄心１６との間のエア−ギャツプにバラッキが発生し、特性が不安定になるという問題があった。
【０００９】
本発明は上記の点に鑑みてなされたもので、ボビン同志の組立てから生ずる特性の不安定を解消する電磁機器を提供することを課題とする。
【００１０】
【課題を解決するための手段】
前記課題を達成するために、本発明の電磁機器は、中央脚鉄心の両側にそれぞれ側脚鉄心を配置し、前記中央脚鉄心に両側にフランジ部を有する第１のボビンと第２のボビンを挿入し、前記第１のボビンに１次コイルを、前記第２のボビンに２次コイルをそれぞれ巻回し、前記第１のボビンおよび第２のボビンのフランジ部間にそれぞれ対向してパスコアを配置し、これらパスコアと前記中央脚鉄心と前記側脚鉄心との間にそれぞれエアギャツプを形成し、前記パスコアの両端にそれぞれ形成したパスコア保持部を前記フランジ部に固定してなる電磁機器において、前記パスコアが挿入される一方のボビンのフランジ部に、前記パスコア保持部を受けるパスコア受け部および前記パスコア保持部を案内する案内壁とからなる略Ｌ字型突出部をそれぞれ対向して設け、前記パスコア受け部の延長上に嵌合溝を形成した溝形成台部を設け、この溝形成台部の前記案内部と対向する位置に前記パスコア保持部を保持する保持部を設け、前記パスコアが挿入される他方のボビンのフランジ部に、前記一方のボビンのフランジ部に形成した嵌合溝にそれぞれ挿入嵌合する略Ｉ字型突出部を設け、前記一方のボビンのフランジ部にそれぞれ設けた嵌合溝に前記他方のフランジ部にそれぞれ設けた略Ｉ字型突出部を挿入嵌合して前記ボビン同志を連結し、前記パスコア保持部の先端を前記略Ｌ字型突出部のパスコア受け部に当接させるとともに、前記パスコア保持部を前記略Ｌ字型突出部の案内壁と前記溝形成台部の保持部とにより固定したことを特徴とするものである。
【００１１】
【発明の実施の形態】
以下、図１ないし図７を参照して本発明の実施の形態を説明する。
【００１２】
図７は電磁機器に係る漏洩トランスの構造を示す斜視図である。
【００１３】
３２は鉄板を積層した中央脚鉄心で、この中央脚鉄心３２に、１次コイル３７を巻回したコイル巻部３５の両端にそれぞれフランジ部３４，３４を有する６ナイロンなどの絶縁体からなる第１のボビン３６と、２次コイル３８を巻回したコイル巻部３９の両端にそれぞれフランジ部４０，４０を有する６ナイロンなどの絶縁体からなる第２のボビン４１を挿入し後述する方法で直列に連結されている。
【００１４】
連結された第１のボビン３６の内側フランジ部３４ａと第２のボビン４１の内側フランジ部４０ａとの間にそれぞれ略コ字型のパスコア４２を対向して後述する方法でフランジ部３４，４０に固定さている。
【００１５】
中央脚鉄心３２を挟んで略コ字型の側脚鉄心３１を２個互いに相対させて配置し、中央脚鉄心３２および側脚鉄心３１，３１の長手方向両端を箱型の締付金具４３でそれぞれ締付け固定して漏洩トランス３０が形成されている。なお、中央脚鉄心３２とパスコア４２および側脚鉄心３１とパスコア４２との間に僅かな間隔を設けてエアギャツプ（図示せず）が形成されている。
【００１６】
漏洩トランス３０は、図６に示すように、例えば、放電灯安定器４４に使用され、略コ字型をした底板４５に図示しないねじで固定され、漏洩トランス３０を覆う略コ字型をしたケ−ス４７とこのケ−ス４７の両端開口を覆って端板４６，４６が取付けられ、複数個のねじ４８で底板４５とケ−ス４７とが固定されている。
【００１７】
ボビン同士の連結構造およびパスコアのフランジ部への固定構造を図１ないし図５を参照して説明する。
【００１８】
図３に基づいて、第１のボビン３６の構造について説明する。第１のボビン３６の長手方向の中央部には、中央脚鉄心３２を挿入する長方型の挿入孔５１が形成され、両端にはそれぞれフランジ部３４，３４が形成されている。フランジ部３４の一方には、図７に示すように、リ−ド線（図示せず）を外部に導出する切欠５４を複数形成した端子台５２が一体的に形成され、この端子台５２には、複数の端子金具５３が取付けられている。他方のフランジ部３４ａの外側面には、挿入孔５１に沿って、相対して４個の略Ｌ字型をした略Ｌ字型突出部６０がそれぞれ形成されている。
【００１９】
略Ｌ字型突出部６０は、図５に示すように、鉄板で積層されたパスコア４２の両端にそれぞれ形成された保持部４３の先端４３ａが位置決め当接されるパスコア当接部であるパスコア当接面６１を有するパスコア受け部６２とパスコア保持部４３の内面４３ｃを案内する案内部６３を有する案内壁６４とからなる。さらに、略Ｌ字型突出部６０と離間して外方に溝形成台部７０が形成されている。
【００２０】
さらに、パスコア受け部６２の外方延長上に位置する溝形成台部７０には、略Ｉ字型をした嵌合溝７１がそれぞれ形成されている。また、案内部６３と対向する溝形成台部７０には、パスコア保持部４３の外面４３ｂを保持する保持部７２が形成されている。
【００２１】
図４に基づいて、第２のボビン４１の構造について説明する。
【００２２】
第２のボビン４１の長手方向の中央部には、中央脚鉄心３２を挿入する長方型の挿入孔５１が形成されている。第２のボビン４１の両端にそれぞれ形成されたフランジ部４０，４０の一方には、図７に示すように、リ−ド線（図示せず）を外部に導出する切欠５４を複数形成した端子台５２が一体的に形成され、この端子台５２には、複数の端子金具５３が取付けられている。第１のボビン３６の溝形成台部７０と対向する他方のフランジ部４０ａには、台部７６がそれぞれ形成されている。これら台部７６には、挿入孔５６に沿って、第１のボビン３６の溝形成台部７０に設けた嵌合溝７１に挿入嵌合する略Ｉ字型突出部６６が相対して４個突出形成されている。略Ｉ字型突出部６６の外側面６６ａには、パスコア保持部４３の先端４３ａが当接し位置決めされるパスコア当接面７７が形成されている。また、この台部７６の内側の面は、溝形成台部７０の保持部７２と同一面となるように保持部７２ａが形成されている。
【００２３】
ボビン同士の連結方法を説明する。
【００２４】
図３に示す第１のボビン３６の溝形成台部７０にそれぞれ形成した嵌合溝７１に、図４に示す第２のボビン４１の台部７６にそれぞれ形成した略Ｉ字型突出部６６が挿入嵌合して連結される。
【００２５】
ボビン同士が連結した状態では、第１のボビン３６の溝形成台部７０と第２のボビン４２の台部７６とは当接する。さらに、第１のボビン３６の略Ｌ字型突出部６０のパスコア受け部６２と第２のボビン４２の略Ｉ字型突出部６６とが当接するとともに、第１のボビン３６のパスコア当接面６１と第２のボビン４２の略Ｉ字型突出部６６の外面６６ａに形成されたパスコア当接面７７とは同一面となっている。このため、パスコア４２の先端４３ａが偏りなく当接するため、パスコア４２と中央脚鉄心３２との間に形成されるエアギャツプおよびパスコア４２と側脚鉄心３１との間に形成されるエアギャツプは均一に保たれる。
【００２６】
パスコアのボビンの固定方法を説明する。
【００２７】
図１，図２に示すように、連結したボビンの略Ｌ字型突出部６０の案内部６３と溝形成台部７０のパスコア保持部７２との距離Ａは、パスコア保持部４３の内面４３ｃと外面４３ｂの距離Ｂより挿入嵌合する程度に僅かに小さく形成され、パスコア４２の保持部４３は、案内部６３とパスコア保持部７２との間に挿入嵌合され、パスコア４２はフランジ部３４，４０に固定されている。
【００２８】
更に、第１のボビン３６のフランジ部３４と第２のボビン４２のフランジ部４０との距離Ｃは、パスコア保持部４３の積層厚Ｄが嵌入する程度に小さく形成されている。このため、パスコア保持部４３は、略Ｌ字型突出部６０の案内部６３と溝形成台部７０のパスコア保持部７２との上下面で嵌合されるので、パスコア４２のフランジ部３４，４０への固定が容易になる。さらに、パスコア保持部４３の積層厚Ｄをフランジ部３４，４０間と同一にしたので、パスコア４２は上下左右の４面で固定され、パスコアの固定がより確実になる。このため、作業性が向上し、さらに、パスコアは中央脚鉄心の軸方向および左右方向に移動しないので、特性が安定し、騒音も低減する。
【００２９】
次に上記実施の形態の作用を説明する。
【００３０】
一方のフランジ部の外側に設けられたパスコア当接面を有するパスコア受け部およびこのパスコア受け部の外方延長上に嵌合溝を形成した溝形成台部を設け、この嵌合溝に嵌合する略Ｉ字型突出部を他方のフランジ部に設け、それぞれのボビンを軸方向に近接させて、略Ｉ字型突出部の一部を嵌合溝に挿入し、嵌め込むだけでボビン同士を連結できる。このように、コイルを巻回したボビン同士をボビンの軸方向に近接させるだけで、ボビン同士を簡単に連結でき、自動化が容易となる。
【００３１】
さらに、連結されたボビンのパスコア受け部のパスコア当接面と略Ｉ字型突出部のパスコア当接面が同一面となっている。この同一面に形成されたパスコア当接面に、パスコア保持部の先端が当接してボビンにパスコアが固定される。そこで、側脚鉄心とパスコアおよびパスコアと中央脚鉄心との間に形成されるエア−ギャツプのバラッキがなくなり、エア−ギャツプの精度が向上し、特性が安定する。
【００３２】
また、パスコアのボビンへの固定は、パスコア当接面以外に、対向するフランジ部の外面および略Ｌ字型突出部の案内壁とこの案内壁と対向する溝形成台部のパスコア保持部および台部のパスコア保持部の上下左右の４面でパスコアが固定される。このため、パスコアの固定作業が容易となり、作業性が向上する。
【００３３】
さらに、パスコアは中央脚鉄心の軸方向および左右方向に移動しないので、特性が安定するとともに騒音の低減となる。
【００３４】
【発明の効果】
以上詳記したように本発明によれば、一方のボビンのフランジ部にそれぞれ設けた嵌合溝に、他方のフランジ部にそれぞれ設けた略Ｉ字型突出部を挿入嵌合して直列にボビン同志を連結する構造としたので、コイルを巻回したボビン同士をボビンの軸方向に近接させるだけで、ボビン同士を簡単に連結でき、自動化が容易となる。
【００３５】
さらに、連結されたボビンのパスコア受け部にパスコアの先端を当接させる構造としたので、側脚鉄心とパスコアおよびパスコアと中央脚鉄心との間に形成されるエア−ギャツプのバラッキがなくなり、エア−ギャツプの精度が向上し、特性が安定する。
【００３６】
また、パスコア保持部を一方のボビンのフランジ部に設けた略Ｌ字型突出部の案内壁と溝形成台部の保持部とにより固定した構造としたので、パスコアをフランジ部に固定する作業性が容易となり、作業性が向上する。さらに、パスコアは中央脚鉄心の軸方向に移動しないので、特性が安定するとともに騒音の低減となる。
【図面の簡単な説明】
【図１】本発明の一実施の形態に係るボビンにパスコアを固定する状態を示す斜視図。
【図２】同実施の形態におけるボビンにパスコアを挿入固定された状態を示す断面図。
【図３】同実施の形態における第１のボビンを示す斜視図。
【図４】同実施の形態における第２のボビンを示す斜視図。
【図５】同実施の形態におけるパスコアを示す斜視図。
【図６】本発明に係る電磁機器を搭載した放電灯安定器を示す斜視図。
【図７】本発明に係る電磁機器である漏洩トランスを示す斜視図。
【図８】第１の従来技術に係るボビンとパスコアを示す斜視図。
【図９】同上の従来技術に係るボビン同志を組立てた状態を示す上面図。
【図１０】第２の従来技術に係るボビン同志を組立てた状態を示す断面図。
【符号の説明】
３４…フランジ部，
３６…第１のボビン（一方ボビン），
４０…フランジ部，
４１…第２のボビン（他方のボビン），
４２…パスコア，
４３…パスコア保持部，
４３ａ…先端，
６０…略Ｌ字型突出部，
６２…パスコア受け部，
６４…案内壁，
６６…略Ｉ字型突出部６６。
【図１】
0003641852.tif 000002
【図２】
0003641852.tif 000003
【図３】
0003641852.tif 000004
【図４】
0003641852.tif 000005
【図５】
0003641852.tif 000006
【図６】
0003641852.tif 000007
【図７】
0003641852.tif 000008
【図８】
0003641852.tif 000009
【図９】
0003641852.tif 000010
【図１０】
0003641852.tif 000011